(57)【要約】【課題】  耐候性に優れた巻回固定用面ファスナーテープを提供すること。【解決手段】  一面にフック状係合素子を有し他面にループ状係合素子を有する巻回固定用テープと、一面にフック状係合素子を有し他面に耐候性を有する層を備えた保護用テープとからなり、該巻回固定用テープをループ状係合素子が外面に位置するように被固定物へ巻回して固定し、該巻回固定用テープのループ状係合素子と保護用テープのフック状係合素子とを係合して、巻回固定用面ファスナーテープ全面を該保護用テープで被覆するよう構成した巻回固定用面ファスナーテープ。【選択図】  図２
0003127155.tif 000002
【実用新案登録請求の範囲】
【請求項１】
一面にフック状係合素子を有し他面にループ状係合素子を有する巻回固定用テープと、一面にフック状係合素子を有し他面に耐候性を有する層を備えた保護用テープとからなり、該巻回固定用テープをループ状係合素子が外面に位置するように被固定物へ巻回して固定し、該巻回固定用テープのループ状係合素子と保護用テープのフック状係合素子とを係合して、巻回固定用面ファスナーテープ全面を該保護用テープで被覆するよう構成した巻回固定用面ファスナーテープ。
【請求項２】
一面にフック状係合素子を有し他面にループ状係合素子を有する巻回固定用テープと、一面にループ状係合素子、またはフック状係合素子とループ状係合素子とが混在した係合素子を有し他面に耐候性を有する層を備えた保護用テープとからなり、該巻回固定用テープをフック状係合素子が外面に位置するように被固定物へ巻回して固定し、該巻回固定用テープのフック状係合素子と保護用テープのループ状係合素子とを係合して、巻回固定用面ファスナーテープ全面を該保護用テープで被覆するよう構成した巻回固定用面ファスナーテープ。
【考案の詳細な説明】
【技術分野】
【０００１】
本考案は、巻回固定用面ファスナーテープに関する。より詳細には、フック状係合素子とループ状係合素子をそれぞれ一面に有する巻回固定用テープと、特定の保護用テープとから構成されてなり、耐候性に優れた巻回固定用面ファスナーテープに関する。
【背景技術】
【０００２】
従来より、係合剥離が容易で反復使用可能な面ファスナーは各種用途に用いられている。その一つとして、ワイヤー、パイプ、棒、その他各種部材に巻回し該部材を固定するための巻回固定用面ファスナーテープが挙げられる。該用途の面ファスナーテープは、一面にフック状係合素子を有し他面にループ状係合素子を有する面ファスナーテープであり、通常フック状係合素子を有する面を内側にして巻回し、面ファスナーテープが重合する面で両係合素子を係合させて、部材を巻回し固定するように使用される。
ところで、該面ファスナーテープが屋外で使用される場合には、面ファスナーテープの耐候性が問題となる。例えば、布製の面ファスナーテープは、基布と基布上に立設された係合素子から構成されており、これらの素材が日光、雨などに曝されて劣化し、係合能力が低下するので、長期間使用における耐久性に問題があった。
【０００３】
そこで、面ファスナーを屋外で使用する用途において、その耐候性を改善する検討がなされており、例えばフック状係合素子を構成するモノフィラメントに紫外線吸収剤やカーボンブラックを配合して、耐候性を改善する技術が提案されている（特許文献１参照）。
【０００４】
本考案者らの検討では、上記の耐候性改善は長期間の耐久性が未だ十分ではなく、面ファスナーを構成する繊維自体の耐候性を上げるために紫外線吸収剤などの添加物の含有量を多くする必要がある。しかし、添加物が多くなると繊維物性が低下して、面ファスナーテープの係合力が低下する結果となり、従来技術による耐候性の改良には問題があった。
【０００５】
【特許文献１】特開２００４−２４８５８号公報
【考案の開示】
【考案が解決しようとする課題】
【０００６】
本考案の目的は、耐候性に優れた巻回固定用面ファスナーテープを提供することにある。
【課題を解決するための手段】
【０００７】
すなわち本考案は、一面にフック状係合素子を有し他面にループ状係合素子を有する巻回固定用テープと、一面にフック状係合素子を有し他面に耐候性を有する層を備えた保護用テープとからなり、該巻回固定用テープをループ状係合素子が外面に位置するように被固定物へ巻回して固定し、該巻回固定用テープのループ状係合素子と保護用テープのフック状係合素子とを係合して、巻回固定用面ファスナーテープ全面を該保護用テープで被覆するよう構成した巻回固定用面ファスナーテープである。
【０００８】
また本考案は、一面にフック状係合素子を有し他面にループ状係合素子を有する巻回固定用テープと、一面にループ状係合素子、またはフック状係合素子とループ状係合素子とが混在した係合素子を有し他面に耐候性を有する層を備えた保護用テープとからなり、該巻回固定用テープをフック状係合素子が外面に位置するように被固定物へ巻回して固定し、該巻回固定用テープのフック状係合素子と保護用テープのループ状係合素子とを係合して、巻回固定用面ファスナーテープ全面を該保護用テープで被覆するよう構成した巻回固定用面ファスナーテープである。
【考案の効果】
【０００９】
本考案の巻回固定用面ファスナーテープは、固定すべき物品に面ファスナーテープを巻回して固定した後、該面ファスナーテープの外面を保護用テープで被覆し、巻回固定用面ファスナーへの日光を遮蔽するので、紫外線吸収剤を含有した繊維により構成された従来の面ファスナーに比して、耐候性は大きく改善される。本考案に使用する巻回固定用の面ファスナーテープは、紫外線吸収剤を含有する必要がない。
また、本考案の巻回固定用面ファスナーテープは、巻回固定用の面ファスナーテープと保護用テープが別個に用意されて使用されるため、使用現場での利便性に優れる。すなわち、巻回固定用（以下、単に固定用と称することがある）テープを巻回して固定が完成した後に、保護用テープを該固定部の上面（外面）を被覆するように巻回して保護が完成される。従って、固定用面ファスナーテープの長短に関係なく、該固定部の上面を被覆するのに必要な長さの保護用テープを切断して使用すればよい。
固定用テープと保護用テープとを一体化した構造も考えられるが、一体化した構造では目的とする固定部分の大きさや形状に柔軟に対応することが難しい。本考案においては、固定用テープと保護用テープを別個としたことにより、現場での使用での対応が容易であり、利便性に優れる。
【考案を実施するための最良の形態】
【００１０】
本考案に使用する固定用テープは、一面にフック状係合素子を有し、他面すなわちもう一方の面にループ状係合素子を有する面ファスナーテープであり、該面ファスナーテープ自体は、いわゆる結束用面ファスナーテープとして公知のものが使用できる。該面ファスナーテープとしては、フック面ファスナーとループ面ファスナーを接着または融着して一体化したもの、または基布の両面にフック状係合素子とループ状係合素子をそれぞれ立設した面ファスナーが使用できる。
【００１１】
フック状係合素子としては、かぎ状係合素子、キノコ状係合素子、矢じり状係合素子が挙げられ、該フック状係合素子を基布に立設した布製フック面ファスナーや基板上に一体成形した成形フック面ファスナーが使用できる。
【００１２】
布製面ファスナーの基布および係合素子を構成する繊維としては、熱可塑性繊維が好ましく用いられ、強度、弾性率、変形回復性などの点からナイロン６、ナイロン６６、ナイロン６１０等のポリアミド系繊維、またはポリエチレンテレフタレート、ポリブチレンテレフタレート等のポリエステル系繊維が好ましく用いられる。また、キノコ状係合素子を有する面ファスナーは、通常、基布面上に多数のモノフィラメントのループを立設し、その頂点を切断して得られるモノフィラメントの自由端部を加熱溶融して膨頭部を形成し作製される。かかるキノコ状係合素子を作製するために、キノコ状係合素子を形成する繊維は溶融加工の良好なポリプロピレン系繊維を使用することが好ましい。
【００１３】
一方、成形フック面ファスナーは、例えば押出成形により基板に列条突起を立設したテープを製造し、該列条に多数の微小な切れ目を付与し、基板を長さ方向に延伸することで独立した多数のフック状係合素子を立設した成形フック面ファスナーを得ることができる。
また射出成形により、フック状係合素子に対応した微小孔を表面に設けたドラムに溶融樹脂を圧入し、冷却後基板をドラムから剥離することで成形フック面ファスナーを得ることができる。
【００１４】
一方、ループ面ファスナーとしては、ループ状係合素子を基布に立設した布製ループ面ファスナーやナップ不織布が挙げられる。
布製ループ面ファスナーの基布及び係合素子を構成する繊維としては、上記した布製フック面ファスナーと同様のものが使用できる。
【００１５】
各係合素子の形状、大きさ、密度、また面ファスナーテープの幅や長さは目的とする固定の強度や被固定物の大きさにより適宜選択すればよい。該固定用テープは、通常はロール巻きにしたものを用意しておき、必要な長さに切断して使用する。
【００１６】
また、本考案に用いる保護用テープは、その一面にフック状係合素子を有し他面に耐候性を有する層を備えたものであり、かかるフック面ファスナーは上記したフック面ファスナーと同じものが使用できる。
ここで、本考案における耐候性を有する層は、上記したフック面ファスナーの裏面に耐候性樹脂を塗布したもの、あるいは耐候性樹脂フィルムを接着または融着したものから構成される。
耐候性樹脂としては、フッ素樹脂、アクリル樹脂、ＡＥＳ樹脂、ＡＳＡ樹脂、ポリカーボネート樹脂、塩化ビニル樹脂等が使用できる。面ファスナーに加工する点で好ましいのは塩化ビニル樹脂であり、特に軟質塩化ビニル樹脂からなるフィルムが柔軟性や取扱性の点で優れることから好ましい。
なお、保護用テープは、巻回固定用テープの外面全体を被覆し、耐候性を維持できればよく、上記したテープの他、一面にループ状係合素子を有するもの、あるいは、一面にフック状係合素子とループ状係合素子が混在するものでもよい。
【００１７】
該保護用テープの幅は、固定用面ファスナーテープと同一または僅かに広い幅であることが好ましく、長さは固定部を巻回して被覆できる長さであれば十分である。また巻回部に１〜２ｃｍ程度の余剰部を設けて、いわゆる把持部としてもよい。
該保護用テープは、通常はロール巻きしたテープの状態で提供され、必要な長さに切断して使用する。
【００１８】
以下、図面を用いて本考案を具体的に説明する。
図１は、本考案の巻回固定用面ファスナーテープにおける使用形態を示す模式図であり、図２は、図１のＡ−Ａ線における断面模式図である。
図１において、被固定物である棒１、２の二本が巻回固定用テープ（図示せず）で巻回固定され、さらにその上面（外面）に保護用テープ３が巻回され被覆されている。
図２に示すように、巻回固定用テープ４は、ループ面ファスナー（ループ状係合素子）５を外面に、フック面ファスナー（フック状係合素子）６を内面にして、棒１，２の周囲を一重、または二重に巻回して固定する。該巻回固定用テープ４の上（外面）に保護用テープ３のフック面ファスナー７側を重ねて両面ファスナーを係合し、巻回固定用テープ全体を被覆する。また保護用テープは、外面に塩化ビニル樹脂からなる耐候性を有する層８が設けられている。さらに、その端部を約１〜２ｃｍ延長して把持用端部９とすることができる。
【００１９】
図３は、本考案の巻回固定用面ファスナーテープの他の一例を示す断面模式図であり、使用形態は図１とほぼ同様である。
図３において、保護用テープ３には、一面にフック状係合素子とループ状係合素子が混在して存在しており、フック面ファスナー６を外面にして巻回した巻回固定用テープと係合して固定されている。
また、保護用テープには上記と同様、外面に塩化ビニル樹脂からなる耐候性を有する層８が設けられている。
【００２０】
本考案の巻回固定用面ファスナーテープは、耐候性を必要とする屋外での用途に使用され、例えば、屋外に設置されたパイプ、木棒、ホースの固定やつなぎに用いることができる。
もちろん、これら屋外用途以外にも屋内の家具の固定や荷物の梱包等に用いることは何ら差し支えない。
【００２１】
以下、実施例により本考案をさらに具体的に説明するが、本考案はこれら実施例に何ら限定されない。
【実施例１】
【００２２】
巻回固定用テープとして、一面にフック状係合素子を有し、もう一方の面にループ状係合素子を有する布製面ファスナー（クラレファスニング社製、「両面マジック」、２５ｍｍ幅）を準備した。
上記巻回固定用テープを用いて、エアコン室外機のカバー配管と標識付鉄パイプとを固定した。なお、取り付ける際に、巻回固定用テープをループ面ファスナー側が外面となるように巻きつけ配管と鉄パイプを固定した。
一方、一面にフック状係合素子を有する布製フック面ファスナー（クラレファスニング社製、「Ａ８６９３Ｙ」、２５ｍｍ幅）、および塩化ビニル樹脂がコーティングされたターポリンシート（クラレ社製、２５ｍｍ幅）をそれぞれ準備し、両者をラミネートして保護用テープを作製した。
該保護用テープを、固定しておいた巻回固定用テープと係合して巻回固定用テープの全面を覆うように被覆させた。
作業は簡単で、手直し、位置決め、交換も容易であり、巻回固定用テープも保護用テープに被覆され、屋外での使用に十分耐え得るものであった。
【実施例２】
【００２３】
実施例１で使用した巻回固定用テープを用いて、エアコン室外機のカバー配管と標識付鉄パイプとを固定した。なお、取り付ける際に、巻回固定用テープをフック面ファスナー側が外面となるように巻きつけ配管と鉄パイプを固定した。
一方、一面にフック状係合素子とループ状係合素子が混在した布製フック・ループ混在型面ファスナー（クラレファスニング社製、「フリーマジック」、２５ｍｍ幅）、および塩化ビニル樹脂がコーティングされたターポリンシート（クラレ社製、２５ｍｍ幅）をそれぞれ準備し、両者をラミネートして保護用テープを作製した。
該保護用テープを、固定しておいた巻回固定用テープと係合して巻回固定用テープの全面を覆うように被覆させた。
作業は簡単で、手直し、位置決め、交換も容易であり、巻回固定用テープも保護用テープに被覆され、屋外での使用に十分耐え得るものであった。
【図面の簡単な説明】
【００２４】
【図１】本考案の巻回固定用面ファスナーテープにおける使用形態を示す模式図
【図２】図１のＡ−Ａ線における断面模式図
【図３】本考案の巻回固定用面ファスナーテープの他の一例を示す断面模式図
【符号の説明】
【００２５】
１、２：棒
３：保護用テープ
４：巻回固定用テープ
５：ループ面ファスナー
６：フック面ファスナー
７：フック面ファスナー
８：耐候性を有する層
９：把持用端部
【図１】
0003127155.tif 000003
【図２】
0003127155.tif 000004
【図３】
0003127155.tif 000005